(57)【要約】【課題】足場を構築することなく交換作業を実施できるアンテナ保護カバーを提供する。【解決手段】アンテナの反射鏡のシュラウドの全周を覆う帯状シートと、前記帯状シートの長さ方向の端縁に沿って設けた袋状部と、前記袋状部に挿通されて前記帯状シートの長さ方向の端縁を前記シュラウドに固定する紐状締結具と、前記シュラウドの全周を覆った前記帯状シートの両端部を連結する結束具と、前記袋状部に挿通された前記紐状締結具が露出する繰出窓とを有し、前記繰出窓から露出した前記紐状締結具に係止したクレモナまたは長棒などを利用して輪状の帯状シートを押し広げてシュラウドの外周にあてがう。【選択図】図１
2014192662.tif 000002
【特許請求の範囲】
【請求項１】
アンテナを保護するためのアンテナ保護カバーにおいて、
アンテナの反射鏡のシュラウドの全周を覆う帯状シートと、
前記帯状シートの長さ方向の端縁に沿って設けた袋状部と、
前記袋状部に挿通されて前記帯状シートの長さ方向の端縁を前記シュラウドに固定する紐状締結具と、
前記シュラウドの全周を覆った前記帯状シートの両端部を連結する結束具と、
前記袋状部に挿通された前記紐状締結具が露出する繰出窓と、を有し、
前記繰出窓を、前記袋状部の長さ方向の数箇所に前記袋状部を開口して形成したことを特徴とするアンテナ保護カバー。
【請求項２】
前記帯状シートの長さ方向に複数設けられて前記アンテナのシュラウドに当接する幅固定金具を有する、請求項１に記載のアンテナ保護カバー。
【請求項３】
前記複数の幅固定金具は、前記シュラウドの周方向に等間隔に配置した、請求項２に記載のアンテナ保護カバー。
【請求項４】
前記幅固定金具は、前記帯状シートの長さ方向と交差する方向でアンテナのシュラウドに当接する横桟と、前記横桟の端部に設けられ縦桟とからなり、
前記縦桟内に前記紐状締結具を挿通した、請求項２に記載のアンテナ保護カバー。
【請求項５】
前記袋状部は、前記シュラウドに対向する前記帯状シートの面に形成された、請求項１に記載のアンテナ保護カバー。
【発明の詳細な説明】
【技術分野】
【０００１】
本発明は、地上マイクロ通信用アンテナを雪害等から保護するために用いるアンテナ保護カバーに関する。
【背景技術】
【０００２】
この種のアンテナは、送受信する電波がマイクロ波であるため送受信する方向に障害物があると電波が減衰する特性がある関係上、地上から鉄塔を起立させてその頂部付近に設置されている。さらに、この種のアンテナは、温暖地ばかりでなく寒冷地にも設置されることがあり、温暖地では風雨などに晒され、寒冷地では風雨などに加えて雪害などから保護する必要がある。
【０００３】
以上のような状況に設置されるアンテナを保護するシートレドームが開発されている（特許文献１）。
【先行技術文献】
【特許文献】
【０００４】
【特許文献１】特開平６−６１７２０号公報
【発明の概要】
【発明が解決しようとする課題】
【０００５】
特許文献１に開示されたアンテナのシートレドームは、特許文献１の図１に示されるように、パラボラアンテナにおける反射鏡のシュラウドおよび反射鏡の裏面のほぼ全体にまで覆っており、その端部が反射鏡の裏面に固定されていた。
【０００６】
この種のシートレドームをパラボラアンテナへ固定するには、特許文献１の図１から明らかなように、シートレドームの開口部の数箇所を反射鏡の周方向に延びるマウントリングに複数本のＪボルトで固定している。この種のパラボラアンテナは通信用に用いられているため、シートレドームの交換に費やす時間を極力短縮する必要があり、鉄塔に設置された状態でシートレドームを交換する必要がある。
【０００７】
前記Ｊボルトが反射鏡の上部側に位置する場合には、それを緩めて取り外す作業は比較的簡単に行えるが、前記Ｊボルトが反射鏡の下部側に位置する場合には、前記Ｊボルトを取り外す作業者の姿勢が不安定になるため、シートレドームを交換するにあたっては、鉄塔の周りに足場を組んで交換作業を行うか、あるいはクレーン車による昇降台を用いて交換作業を行うことになり、シートレドームの交換作業を簡易に且つ短時間に終了させるには限界があった。
【０００８】
また、交換時に特許文献１の新しいシートレドームをアンテナに装着する際には、その初期段階でシートレドームをアンテナの高さ位置に保持する手段が講じられておらず、鉄塔の周りに足場を組みその足場の高さ位置でシートレドームのアンテナへの装着作業を行うか、あるいはクレーン車による昇降台の高さをアンテナの設置高さに合わせてシートレドームのアンテナへの装着作業を行うことになり、交換後の新しいシートレドームをアンテナへ装着する作業を簡易且つ短時間に終了させるには限界があった。
【０００９】
アンテナのシュラウドに取り付けられたシートレドームは設置後に風雨などの環境変化に晒されるものである。特に、アンテナのシュラウドを覆う部分については、積雪などに起因する問題もあり、その劣化および損傷が進みやすく、このシュラウドを覆う部分の劣化および損傷の対策が必要であった。しかしながら、特許文献１の図１及び図２に示すシートレドームでは風雨などに晒されて、シートレドームのアンテナのシュラウドを覆う部分が損傷又は、耐久性が劣化した場合、シートレドーム自体を交換するしか手段がなく、また、その交換作業が容易に実施できないという課題があった。
【００１０】
本発明の目的は、鉄塔などの高所であっても足場を組むことなく、シートレドームのアンテナのシュラウドを覆う部分を補強することが可能なアンテナ保護カバーを提供することにある。
【課題を解決するための手段】
【００１１】
前記目的を達成するため、本発明に係るアンテナ保護カバーは、アンテナの反射鏡のシュラウドの全周を覆う帯状シートと、前記帯状シートの長さ方向の端縁に沿って袋状に形成した袋状部と、前記袋状部に挿通されて前記帯状シートの長さ方向の端縁を前記シュラウドに固定する紐状締結具と、前記シュラウドの全周を覆った前記帯状シートの両端部を連結する結束具と、前記袋状部に挿通された前記紐状締結具が露出する繰出窓と、を有し、前記繰出窓を、前記袋状部の長さ方向の数箇所に前記袋状部を開口して形成したことを特徴とするものである。
【発明の効果】
【００１２】
本発明によれば、アンテナが取付けられた鉄塔などに昇塔した状態で足場を用いることなく、アンテナ保護カバーをアンテナの反射鏡のシュラウドに装着する作業を行うことができ、シートレドームのアンテナのシュラウドを覆う部分を保護するアンテナ保護カバーの設置作業を迅速に終了させることができる。
【図面の簡単な説明】
【００１３】
【図１】（ａ）は本発明の実施形態に係るアンテナ保護カバーをアンテナにおける反射鏡のシュラウドに装着した状態を示す斜視図、（ｂ）は本発明の実施形態に係るアンテナ保護カバーを適用するアンテナを縦方向で切断した断面図である。
【図２】（ａ）は本発明の実施形態に係るアンテナ保護カバーを展開した展開図、（ｂ）の左側は帯状シートの端部に設けた結束具を示し、右矢印で示す右側はそれらの結束具を結束ロープで結束することにより、帯状シートの両端を連結した状態を示す図、（ｃ）は帯状シートの両端に位置する突合せ面の構造を示す断面図である。
【図３】（ａ）は帯状シートの両端縁に形成した袋状部と紐状締結具との関係を示す斜視図、（ｂ）は帯状シートの両端縁に形成した袋状部と紐状締結具との関係を縦方向で切断して示す断面図である。
【図４】（ａ）は幅固定金具と帯状シートとの関係を示す正面図、（ｂ）は幅固定金具の横桟を帯状シートに取付ける構造を示す縦方向で切断した断面図、（ｃ）は幅固定金具と帯状シートと反射鏡のシュラウドとの関係を示す縦方向で切断した断面図である。
【図５】幅固定金具と反射鏡のシュラウドとの関係を示す斜視図である。
【図６】本発明の実施形態に係るアンテナ保護カバーをアンテナにおける反射鏡のシュラウドに装着する作業過程を説明する図である。
【図７】帯状シートの長さ方向の中間に位置する繰出窓を利用して落下防止用ロープとして機能するクレモナを帯状シートに取付けた状態を示す図である。
【図８】本発明の実施形態に係るアンテナ保護カバーを高所のアンテナ架台に括り付ける状態を示す図である。
【図９】高所のアンテナ架台に括り付けた本発明の実施形態に係るアンテナ保護カバーをアンテナの反射鏡のシュラウドに位置決めする状態を示す図である。
【図１０】高所のアンテナ架台に括り付けた本発明の実施形態に係るアンテナ保護カバーをアンテナの反射鏡のシュラウドに完全に位置決めした状態を示す図である。
【図１１】（ａ）は帯状シートの幅固定金具がガイドとして機能する場合を示す図、（ｂ）はシュラウドと反射鏡とがフランジを介して接合される構造を示す図である。
【発明を実施するための形態】
【００１４】
次に、本発明の実施形態を図に基づいて詳細に説明する。
【００１５】
［アンテナ保護カバーの説明］
本発明の実施形態に係るアンテナ保護カバーはシュラウドを備えたアンテナに適用されて、シートレドームで覆われた前記シュラウドを保護するものであり、帯状シート１と、袋状部２と、紐状締結具３と、結束具４と、繰出窓５とを有している。さらに、本発明の実施形態に係るアンテナ保護カバーは幅固定金具６を有している。
【００１６】
本発明の実施形態に係るアンテナ保護カバーを装着するアンテナは図１（ｂ）に示すように、反射鏡７と、その反射鏡７の開口縁に前方に突き出して取り付けたシュラウド８、前記反射鏡７の曲率中心側に配置したアンテナ素子９とを有している。この種のアンテナは例えば地上マイクロ通信用アンテナとして用いられる。
前記シュラウド８は、反射鏡７で反射された反射波を吸収してその反射波による乱れが生じないようにするものであり、反射鏡７の開口縁に筒状に形成されている。
前記アンテナは、前記反射鏡７の開口直径が約３ｍあり、前記シュラウド８の外周側の周長が約９ｍある巨大なパラボラ型のアンテナである。
そして、前記反射鏡７内の前記アンテナ素子９を保護するために前記シュラウド８の開口側が図示しない円形のレドームで閉塞される。
【００１７】
本発明の実施形態に係るアンテナ保護カバーは図１（ａ）に示すように、前記反射鏡７の開口を閉塞する図示しない前記レドームとは別体をなし、反射鏡７にシュラウド８が設けられた構造のアンテナに適用されて、シートレドームで覆われた前記シュラウド８を保護するものである。
【００１８】
前記帯状シート１は例えば厚さ０．５ｍｍのポリエスレル帆布からなり、図２（ａ）に示すように、前記アンテナの反射鏡７の開口縁に設けられたシュラウド８の外周を展開した帯状の形状をなしている。図２（ａ）に示す例では、前記シュラウド８の上部（頂部：図中の左右端）の幅が広く下部（底部：図中の中間部位）に向けて徐々に幅が狭くなる帯状を呈しているが、これに限られるものではなく、前記帯状シート１は、アンテナのシュラウド８の周方向に沿ってその外周全体にあてがうことが可能な帯状の形状に形成されていればよいものである。
なお、前記帯状シート１としては厚さ０．５ｍｍのポリエスレル帆布を用いたが、雪害等からシュラウド８を保護することができるものであれば、その厚さおよび素材は上述したものに限られるものではない。
【００１９】
前記帯状シート１は図２（ａ），図３（ａ），（ｂ）に示すように、その長さ方向に沿う端縁１ａ，１ｂを内側すなわちシュラウド８側に折り返して袋状に形成した袋状部２ａ，２ｂを前記シュラウド８に対向する面の端縁に有している。前記それぞれの袋状部２ａ，２ｂには、紐状締結具としての締結ロープ３，３がそれぞれ挿通してあり、その締結ロープ３，３の両末端が前記袋状部２ａ，２ｂの両端からそれぞれ引き出されている。
【００２０】
さらに、前記帯状シート１は、前記袋状部２ａ，２ｂに挿通された前記締結ロープ３，３に係止するクレモナ１０を繰出す繰出窓５，５を有している。前記繰出窓５，５は、前記袋状部２ａ，２ｂの長さ方向の数箇所に前記袋状部２ａ，２ｂを開口して形成している。
前記帯状シート１に前記繰出窓５が設けられているため、その繰出窓５，５を利用して前記締結ロープ３，３を前記袋状部２ａ，２ｂに挿通する際に締結ロープ３，３の存在を確認する、或いは前記締結ロープ３，３を前記袋状部２ａ，２ｂに挿通し易くする。
さらには、前記繰出窓５，５は、アンテナ保護カバーをアンテナのシュラウド８に括り付ける際のクレモナ１０を、前記袋状部２ａ，２ｂに挿通した前記締結ロープ３，３の周りに一周させることにより前記クレモナ１０を前記締結ロープ３，３に係止するための作業用の窓として機能する。前記締結ロープ３，３に係止されたクレモナ１０は、前記繰出窓５，５から繰出される。
前記繰出窓５は、アンテナの取付け向きに対応するために前記帯状シート１の両端縁１ａ，１ｂにそれぞれ形成したが、これに限られるものではなく、アンテナの向きが一方向に固定されている場合には、前記帯状シート１の一つの端縁１ａまたは１ｂに形成してもよいものである。
【００２１】
さらに、前記帯状シート１は図２（ａ），（ｂ）に示すように、前記シュラウド８の全周を覆った際に対向する両端部に結束具４，４を有している。前記結束具４，４は、対向する前記帯状シート１の両端部に複数開口された結束孔４ａ，４ｂと、これらの結束孔４ａ，４ｂに挿通して前記対向する前記帯状シート１の両端部を連結する結束ロープ４ｃとからなっている。
【００２２】
さらに、前記結束具４，４の突き合わせ面４ｄ，４ｅは図２（ｃ）に示すように、互いに異なる方向に傾斜されている。したがって、前記帯状シート１をアンテナのシュラウド８の外周に装着する際には、傾斜した一方の突き合わせ面４ｄに他方の傾斜した突き合わせ面４ｅを引き上げつつ前記帯状シート１の一方の端部を他方の端部に引き寄せて締結する。図２（ｃ）に示す例では、前記結束具４，４の突き合わせ面４ｄ，４ｅを互いに異なる方向に傾斜するように形成したが、これに限られるものではなく、前記結束具４，４の突き合わせ面４ｄ，４ｅを縦方向に切り落とした形状に形成してもよいものである。また、前記結束具４，４の突き合わせ面４ｄ，４ｅを完全に突き合わせるようにようにしたが、これに限られるものではなく、前記結束具４，４の突き合わせ面４ｄ，４ｅの相互間を開けた状態で前記対向する前記帯状シート１の両端部を結束ロープ４ｃで結束して前記帯状シートを輪状に連結してもよいものである。
【００２３】
さらに、前記帯状シート１は図２（ａ）に示すように、前記帯状シート１の長さ方向に複数設けられて前記シュラウド８に当接する幅固定金具６を有している。前記幅固定金具６は図２（ａ）に示した構成では等間隔に設けられている。前記幅固定金具６は図示したように等間隔に設けるばかりでなく、必要に応じて間隔を異ならせて設けてもよいものである。
【００２４】
前記幅固定金具６は図４（ａ）及び図５に示すように、前記帯状シート１の長さ方向と交差する方向でアンテナのシュラウド８に当接する横桟６ａと、前記シュラウド８の周方向に沿って前記横桟６ａの端部に設けられた縦桟６ｂとを有している。
【００２５】
前記縦桟６ｂは図４（ａ）及び図５に示すように、前記帯状シート１の袋状部２ａ，２ｂ内に組み込まれ、前記縦桟６ｂ内には前記袋状部２ａ，２ｂに挿通する締結ロープ３，３が挿通されている。従って、前記幅固定金具６と前記紐状締結具としての締結ロープ３，３との関係は、前記袋状部２ａ，２ｂに挿通された締結ロープ３，３は前記縦桟６ｂに至るまでは前記袋状部２ａ，２ｂに挿通されているが、前記幅固定金具６の部位において、締結ロープ３，３は袋状部２ａ，２ｂ内に組み込まれた縦桟６ｂに挿通され、縦桟６ｂから抜け出た際に再び前記袋状部２ａ，２ｂ内を挿通することになる。
【００２６】
前記横桟６ａは図４（ａ）に示すように、前記袋状部２ａ，２ｂの一部に縫合していない個所があり、その非縫合２ｃを通して帯状シート１の長さ方向と交差する方向に延びている。
図４（ａ），（ｂ）に示すように、シュラウド８と対面する帯状シート１の面には筒状をなす支え部１１が縫合されており、前記横桟６ａは図４（ａ），（ｂ）に示すように、筒状支え部１１内に挿通されることにより帯状シート１に一体に固定される。
【００２７】
［アンテナ保護カバーの装着手順］
次に、本実施形態に係るアンテナ保護カバーをパラボラアンテナのシュラウドに装着する場合について説明する。以下の説明では、アンテナ保護カバーの装着にクレモナ１０を用いているが、このクレモナ１０を用いる場合に限られるものではなく、このクレモナ１０に代えて長棒を用いる場合であってもよいものである。クレモナ１０に代えて長棒を用いる場合には、長棒の先端に設けた二股を操出窓５に露出した締結ロープ３に係合させ長棒でアンテナ保護カバーをパラボラアンテナのシュラウドに装着するようにする。なお、輪状の帯状シート１をシュラウド８の直径方向に押し広げる治具としてクレモナや長棒を用いたが、これに限られるものではなく、輪状の帯状シート１をシュラウド８の直径方向に押し広げることができる治具であれば、クレモナや長棒以外の治具を使用してもよいものである。
【００２８】
本実施形態に係るアンテナ保護カバーを適用する対象のパラボラアンテナは図６に示すように、鉄塔１２には、鉄塔１２の補強用及び作業足場の確保などの理由により、鉄塔１２の頂部側に第１リング１３が設けられ、その基礎部側に第２のリング１４が設けられており、上部の第１リング１３にアンテナ架台１５が取付けられている。そして、パラボラアンテナの反射鏡７がアンテナ架台１５に取り付けられている。
以上のように本実施形態に係るアンテナ保護カバーを適用するアンテナは高所に設置されるから、アンテナを引き下ろさずにアンテナ保護カバーの交換作業を行う場合には、その作業は高所で行われることとなる。
【００２９】
図２（ａ）に示すように、アンテナ保護シートをアンテナのシュラウドに装着する際、帯状シート１は、その幅広の両端部をアンテナのシュラウド８の上面（頂部）側に配置し、その幅が狭い側（中央部位）がアンテナのシュラウド８の下面側に配置されるものである。そのため、帯状シート１の中央部位の幅が狭い位置から幅が広い両端部４ａ，４ｂ側にずれた位置で図２（ａ）および図３（ａ）並びに図７（ａ）（ｂ）に示すように、予めクレモナ１０を袋状部２に挿通した締結ロープ３の周りに一周させて前記締結ロープ３に係止させ、さらに前記クレモナ１０を前記繰出窓５から繰出しておく。
図２（ａ）に示すように前記帯状シート１の繰出窓５を利用して４本のクレモナ１０を帯状シート１に装着しているため、この４本のクレモナに符号１０ａ，１０ｂ，１０ｃ，１０ｄを付して説明する。
【００３０】
アンテナ保護カバーの装着には複数人の作業者が必要となる。まず、１人の作業者１６は帯状シート１を携えてパラボラアンテナの取り付高さ位置まで昇塔し、その作業者１６が命綱１７を使って作業姿勢を確保する。
【００３１】
作業者１６は図８に示すように帯状シート１をアンテナの反射鏡７側に配置し、その帯状シート１の両端部４ａ，４ｂを結束ロープ４ｃで仮止めし、帯状シート１をアンテナのシュラウド８の直径よりも大きな輪状にする。次に、その輪状の帯状シート１の端部４ａまたは４ｂに設けた結束孔４ａまたは４ｂに落下防止用ロープ１０ｅを括り付け、その落下防止用ロープ１０ｅの端部を鉄塔に括り付ける。
図８から明らかなように、帯状シート１に括り付けた４本のクレモナ１０ａ，１０ｂ，１０ｃ，１０ｄは反射鏡７の両側から下方に垂れ下がった状態となる。
【００３２】
次に、別の２名の作業者１８は命綱１９を鉄塔１２に結び付けて作業姿勢を確保し、１名の作業者１８は、輪状の帯状シート１から下方に垂れ下がったクレモナ１０ａ，１０ｂの下端を保持し、残りの作業者１８は、輪状の帯状シート１から下方に垂れ下がったクレモナ１０ｃ，１０ｄの下端を保持する。
【００３３】
上段の作業者１６は図９に示すように、輪状に連結した帯状シート１をアンテナ架台１５から反射鏡７のシュラウド８側に移動させる。そして、下段にいる２名の作業者１８は、互いに保持しているクレモナ１０ａ，１０ｂ，１０ｃ，１０ｄを反射鏡７の径方向であって互いに反対方向に牽引し、輪状帯状シート１の径を反射鏡７の曲面に沿うようにする。
【００３４】
図９に示すように、上段の作業者１６は下段の作業者１８と共同して下段の作業者１８が牽引している張力を調整しながら、輪状の帯状シート１を反射鏡７のシュラウド８側に移動させる。そして、作業者１６は図１０に示すように、輪状の帯状シート１の幅固定金具６をシュラウド８の外周にあてがった状態で輪状の帯状シート１を反射鏡７のシュラウド８の外周に位置決めする。
【００３５】
輪状の帯状シート１を反射鏡７からシュラウド８側に移動させる場合、その作業が高所で行われており、風の影響を大いに受ける場合がある。
帯状シート１にはその周方向に複数の幅固定金具６が取り付けられているため、それらの幅固定金具６が帯状シート１の錘として機能するから、風の影響を受けにくくすることができる。
【００３６】
図８および図９に示すように、輪状の帯状シート１を反射鏡７からシュラウド８側に移動させる際、輪状の帯状シート１は反射鏡７の曲面部分からシュラウド８の円筒部分に向けて移動することになる。
本実施形態では帯状シート１の適宜位置に幅固定金具６を設けているため、図１１（ａ）に示すように、幅固定具６の横桟６ａが反射鏡７とシュラウド８との接合箇所１２でガイドとして機能し、輪状の帯状シート１が反射鏡７とシュラウド８との接合箇所１２をスムーズに乗り越えることができる。
【００３７】
また、図１１（ｂ）に示すように、シュラウド８の前後端にフランジ８ａ，８ａが形成され、その後端のフランジ８ｂが反射鏡７のフランジ７ａに接合される構造の場合には、帯状シート１の幅固定金具６が反射鏡７のフランジ７ａおよびシュラウド８のフランジ８ｂを帯状シート１が乗り越える際のガイドとして機能して、輪状の帯状シート１が反射鏡７とシュラウド８との接合箇所１２をスムーズに乗り越えさせることになる。さらには、帯状シート７の幅固定金具６がシュラウド８の前後端のフランジ８ａ，８ｂの間に嵌まり込み、帯状シート１とシュラウド８との密着性を向上させることができる。
【００３８】
これまでの作業が終了した際に図１０に示すように、上段の作業者１６は、仮止めした結束ロープ４ｃを締め付けて帯状シート１の一方の端部を他方の端部に引き寄せ、結束ロープ４ｃを本止めする。さらに、上段の作業者１６は、落下防止用ロープ１０ｅを取り外し、下段の作業者１８は、４本のクレモナ１０ａ，１０ｂ，１０ｃ，１０ｄの一端を下方に引張ることにより繰出窓５から引き抜く。
【００３９】
以上の作業工程を経て、アンテナ保護カバーを反射鏡７のシュラウド８に装着する作業が終了する。
【００４０】
アンテナの反射鏡７のシュラウド８から古いアンテナ保護カバーを取り外す場合には、帯状シート１の両端を連結している結束ロープ４ｃを緩めて結束孔４ａ，４ｂから抜き取る。これにより、輪状の帯状シート１が図２（ａ）に示す１本の長尺物のシート状になる。
そのため、帯状シート１の一端を下方に牽引することにより、アンテナの反射鏡７のシュラウド８からアンテナ保護カバーが引き離されて取り外される。
【００４１】
以上のように本発明の実施形態によれば、帯状シートに形成した繰出窓を利用してクレモナまたは長棒などの治具を袋状部内の紐状緊締具に係止し、前記繰出窓から繰出したクレモナまたは長棒を用いて、アンテナが取付けられた鉄塔などに昇塔した状態で足場を用いることなく、アンテナ保護カバーをアンテナの反射鏡のシュラウドに装着する作業に移行させることができ、アンテナ保護カバーの設置作業を迅速に終了させることができる。
【００４２】
さらに、帯状シートでアンテナの反射鏡のシュラウドの全周を覆い、前記帯状シートの袋状部に挿通した紐状締結具により、前記帯状シートの長さ方向の端縁を前記シュラウドに固定し、前記シュラウドの全周を覆った前記帯状シートの両端部を結束具で連結した構造に構築したため、鉄塔などの高所に括り付けた帯状シートを輪状に連結して反射鏡のシュラウドの外周にあてがうことができ、足場などを用いることなく、簡易にアンテナ保護カバーをアンテナのシュラウドに装着することができる。
【００４３】
さらに、前記袋状部に挿通された前記紐状締結具が露出する繰出窓を有し、前記繰出窓を、前記袋状部の長さ方向の数箇所に前記袋状部を開口して形成したため、前記繰出窓を利用して前記袋状部に挿通した紐状締結具にクレモナまたは長棒などの治具を係止しておくことにより、これらのクレモナまたは長棒などの治具を使って下方に垂れ下がった帯状シートの輪をシュラウドの直径に合うように拡げて位置決めしながら、反射鏡のシュラウドに確実に装着することができる。
【００４４】
さらに、前記帯状シートの長さ方向に沿って前記シュラウドの周面にあてがう幅固定金具を設けることにより、この幅固定金具が、輪状の帯状シートと反射鏡のシュラウドの外周との間に生じる摩擦抵抗を軽減することになり、輪状の帯状シートを反射鏡のシュラウドの外周に正確に位置決めして装着することができる。
【００４５】
さらに、輪状の帯状シートの幅固定金具が反射鏡のシュラウドの外周にあてがわれているため、帯状シートの両端を連結する際、輪状の帯状シートと反射鏡のシュラウドとの間に生じる摩擦抵抗を軽減して帯状シートの両端に締付力を有効に作用させて、帯状シートを反射鏡のシュラウドにフィットさせて装着することができる。
【００４６】
さらに、帯状シートを反射鏡のシュラウドに装着した後、幅固定金具により帯状シートを反射鏡のシュラウドに確実にフィットさせて装着することができるため、アンテナに装着した後に風雨などがアンテナ保護カバーに作用したとしてもアンテナ保護カバーの波立ちが抑制され、アンテナ保護シートの耐久性を阻害することを回避できる。
【００４７】
さらに、幅固定金具を帯状シートの長さ方向に等間隔に配置することにより、帯状シートの両端を連結する際、結束具による締め付け力を帯状シートの長さ方向に均等に加えることができ、帯状シートと反射鏡のシュラウドとのフィット性を増すことができる。
【００４８】
さらに、前記幅固定金具を、帯状シートの長さ方向と交差する方向でアンテナのシュラウドに当接する横桟と、前記横桟の端部に設けられた縦桟とにより構築し、且つ前記縦桟内に前記紐状締結具を挿通するため、袋状部内に挿通した紐状締結具を締め付ける際に前記幅固定金具が反射鏡のシュラウドの周面に強力に固定されることとなり、帯状シートのシュラウドに対するフィット性をさらに向上させることができる。
【００４９】
さらに、前記袋状部を前記シュラウドに対向する前記帯状シートの面に形成することにより、前記帯状シートの端縁を反射鏡のシュラウドに固定する際、紐状締結具による牽引力が帯状シートに有効に伝わり、帯状シートを反射鏡のシュラウドに確実に固定することができる。
【００５０】
この発明は、その本質的特性から逸脱することなく数多くの形式のものとして具体化することができる。
よって、上述した実施形態は専ら説明上のものであり、本発明を制限するものではないことは言うまでもない。
【符号の説明】
【００５１】
１  帯状シート
２  袋状部
３  紐状締結具
４  結束具
５  繰出窓
６  幅固定金具
６ａ  横桟
６ｂ  縦桟
７  反射鏡
８  シュラウド
【図１】
2014192662.tif 000003
【図２】
2014192662.tif 000004
【図３】
2014192662.tif 000005
【図４】
2014192662.tif 000006
【図５】
2014192662.tif 000007
【図６】
2014192662.tif 000008
【図７】
2014192662.tif 000009
【図８】
2014192662.tif 000010
【図９】
2014192662.tif 000011
【図１０】
2014192662.tif 000012
【図１１】
2014192662.tif 000013